(57)【要約】【課題】撮影した画像が、画面ロック中に撮影されたかどうかを判別可能な形式で記録媒体に保存することが可能な撮像装置を提供する。【解決手段】画面ロック中に撮影された画像かどうかを判別可能にするために、画面ロック中に撮影された画像は通常の画像とは別のディレクトリに保存する、別のファイル名をつける、あるいはＥＸＩＦタグなどのファイルの属性情報にロック中かどうかの情報を付加するように構成する。【選択図】図５
2016208202.tif 000002
【特許請求の範囲】
【請求項１】
所定の動作を無効にする画面ロック手段と、画像の撮影を行う撮像手段と、撮影した画像をファイルとして記録媒体に保存する記録手段と、制御手段とを備え、
前記制御手段は、前記画像ファイルが画面ロック中に撮影されたものかどうかを識別可能な形で前記記録媒体に保存することを特徴とする撮像装置。
【請求項２】
前記記録媒体に記録する画像ファイルの属性情報に、撮影時に画面ロックされていたかどうかの情報を含めることを特徴とする請求項１に記載の撮像装置。
【請求項３】
前記記録媒体に画像ファイルを記録する際に、画像ファイルのファイル名を自由文字とファイル番号からなる文字列で記録する撮像装置であって、
画面ロック中に撮影された画像ファイルと、そうではない画像ファイルとでは、前記自由文字を異なる文字列にすることを特徴とする請求項１に記載の撮像装置。
【請求項４】
前記記録媒体に画像ファイルを記録する際に、画面ロック中に撮影された画像ファイルと、そうではない画像ファイルとでは、別のディレクトリに保存することを特徴とする請求項１に記載の撮像装置。
【請求項５】
画面ロック中に撮影された画像と、そうではない画像とで、別の処理を施すことを特徴とする請求項１乃至請求項４の何れか一項に記載の撮像装置。
【請求項６】
前記別の処理とは、印刷指定、スライドショー、メール送信、クラウドへの送信であることを特徴とする請求項１乃至請求項５の何れか一項に記載の撮像装置。
【発明の詳細な説明】
【技術分野】
【０００１】
本発明は、画面ロック中に画像を撮影することが可能な撮像装置、および撮像装置制御方法に関する。
【背景技術】
【０００２】
従来の携帯端末には、画面ロック解除をすばやく行えるものがある（特許文献１参照）。また画面ロック中であっても、シャッターボタンを押すと画像を撮影できる携帯端末もある（非特許文献１参照）。
【先行技術文献】
【特許文献】
【０００３】
【特許文献１】特開２０１４−９９０７１号公報
【非特許文献】
【０００４】
【非特許文献１】「取扱説明書［詳細版］  Ｘｐｅｒｉａ  Ｚ３  ＳＯＬ２６」、ＫＤＤＩ株式会社、２０１４年１０月発行、ｐ．７８）
【発明の概要】
【発明が解決しようとする課題】
【０００５】
特許文献１記載の方法では、画面ロック中に撮影を行おうとしたときに、画面ロック解除処理が必要になるため、シャッターチャンスを逃す可能性がある。一方、非特許文献１記載の方法では、画面ロック中にすばやく撮影することは可能である。ただし撮影した画像が画面ロック中に撮影された画像かどうかは判定することができない。
【０００６】
画面ロック中に撮影した画像は、（１）ユーザーが急いで撮影した、（２）他人が操作して撮影した場合が多く、ピントや露出が適正でない可能性が高い。あるいは、（１）のように急いで撮影した画像は、ユーザがとっさに撮影したものであることから、面白い画像が撮れている可能性も高い。そのため画面ロック中に撮影した画像に対しては別処理を施したいことがある。
【０００７】
本発明は、上記従来の課題に鑑みてなされたものであり、撮影した画像が画面ロック中に撮影したものかどうかを判別することが可能な撮像装置を提供することを目的とする。
【課題を解決するための手段】
【０００８】
上記の目的を達成するために、本発明は、撮像装置であって、所定の動作を無効にする画面ロック手段と、画像の撮影を行う撮像手段と、撮影した画像をファイルとして記録媒体に保存する記録手段と、制御手段とを備え、前記制御手段は、前記画像ファイルが画面ロック中に撮影されたものかどうかを識別可能な形で前記記録媒体に保存することを特徴とする。
【発明の効果】
【０００９】
本発明の撮像装置によれば、撮影した画像が画面ロック中に撮影したものかどうかを容易に判別することが可能となる。
【図面の簡単な説明】
【００１０】
【図１】実施形態による撮像装置の一例としてのデジタルカメラの外観図である。
【図２】実施形態によるデジタルカメラの構成を示すブロック図である。
【図３】デジタルカメラ１００の全体的な動作を示すフローチャートである。
【図４】本発明の一実施形態に係るデジタルカメラ１００が表示部２８に表示する初期画面の一例を示す図である。
【図５】本発明の一実施形態に係るデジタルカメラ１００の撮影処理を示すフローチャートである。
【図６】記録媒体２００に記録された画像ファイル構造の一例を示す図である。
【図７】本発明の一実施形態に係るデジタルカメラ１００が表示部２８に表示する画面ロック画面の一例を示す図である。
【図８】本発明の第二の実施形態に係るデジタルカメラ１００の撮影処理を示すフローチャートである。
【図９】本発明の第二の実施形態において、記録媒体２００に記録されたファイルのディレクトリ構成の一例を示す図である。
【図１０】本発明の第三の実施形態において、記録媒体２００に記録されたファイルのディレクトリ構成の一例を示す図である。
【発明を実施するための形態】
【００１１】
以下、添付の図面を参照して本発明の好適な実施形態について説明する。尚、以下に説明する実施形態では、本発明による装置、方法を静止画像と動画との撮影が可能なデジタルカメラである撮像装置に適用した場合を例にして説明する。
【００１２】
［デジタルカメラの構成について］
図１は実施形態によるデジタルカメラの外観図である。
【００１３】
図１において、２８は表示部であり、画像や各種情報やアイコンを表示する。また表示部２８はタッチパネルになっており、表示部２８に表示されているアイコンをユーザが指などでタッチすることにより、デジタルカメラの各種設定や動作の指示を行うことが可能である。たとえば撮影モードを静止画／動画を切り替える、ホワイトバランスや露出を変更する、電子メールを送る、電話をかけるなどである。
【００１４】
７２は電源スイッチであり、このボタンを所定時間以上（たとえば１秒など）押し続けると電源オン、電源オフを切り替える。また、この電源スイッチ７２は画面ロック／画面ロック解除ボタンとしても使用され、短く押すと画面ロック／画面ロック解除の切り替えを行う。画面ロック時には表示部２８の表示をオフにするとともに、電源スイッチ７２以外の操作は受け付けない。
【００１５】
２００はメモリカードやハードディスク等の記録媒体である。２０１は記録媒体スロットであり、記録媒体２００を格納する。記録媒体スロット２０１に格納された記録媒体２００は、デジタルカメラ１００との通信が可能となる。２０２は記録媒体スロット２０１の蓋である。
【００１６】
図２は本実施形態によるデジタルカメラ１００の構成例を示すブロック図である。
【００１７】
図２において、１０３は撮影レンズ、１０１は絞り機能を備えるシャッター、２２は光学像を電気信号に変換するＣＣＤやＣＭＯＳ素子等で構成される撮像部である。２３はＡ／Ｄ変換器であり、アナログ信号をデジタル信号に変換する。Ａ／Ｄ変換器２３は、撮像部２２から出力されるアナログ信号をデジタル信号に変換する場合や、音声制御部１１から出力されるアナログ信号をデジタル信号に変換する場合に用いられる。
【００１８】
１２はタイミング発生部であり、撮像部２２、音声制御部１１、Ａ／Ｄ変換器２３、Ｄ／Ａ変換器１３にクロック信号や制御信号を供給する。タイミング発生部１２は、メモリ制御部１５及びシステム制御部５０により制御される。２４は画像処理部であり、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１９】
Ａ／Ｄ変換器２３からの出力データは、画像処理部２４及びメモリ制御部１５を介して、或いは、直接メモリ制御部１５を介して、メモリ３２に書き込まれる。メモリ３２は、撮像部２２によって得られＡ／Ｄ変換器２３によりデジタルデータに変換された画像データや、画像表示部２８に表示するための画像データを格納する。尚、メモリ３２は、マイク１０において録音された音声データ、静止画像、動画像および画像ファイルを構成する場合のファイルヘッダを格納するのにも用いられる。従って、メモリ３２は、所定枚数の静止画像や所定時間の動画像および音声を格納するのに十分な記憶容量を備えている。
【００２０】
圧縮／伸張部１６は、適応離散コサイン変換（ＡＤＣＴ）等により画像データを圧縮、伸張する。圧縮／伸張部１６は、シャッター１０１をトリガにしてメモリ３２に格納された撮影画像を読み込んで圧縮処理を行い、処理を終えたデータをメモリ３２に書き込む。また、記録媒体２００の記録部１９などからメモリ３２に読み込まれた圧縮画像に対して伸張処理を行い、処理を終えたデータをメモリ３２に書き込む。圧縮／伸張部１６によりメモリ３２に書き込まれた画像データは、システム制御部５０のファイル部においてファイル化され、インターフェース１８を介して記録媒体２００に記録される。また、メモリ３２は画像表示用のメモリ（ビデオメモリ）を兼ねている。１３はＤ／Ａ変換器であり、メモリ３２に格納されている画像表示用のデータをアナログ信号に変換して画像表示部２８に供給する。２８は画像表示部であり、ＬＣＤ等の表示器上に、Ａ／Ｄ変換器２３からのアナログ信号に応じた表示を行う。こうして、メモリ３２に書き込まれた表示用の画像データはＤ／Ａ変換器１３を介して画像表示部２８により表示される。
【００２１】
１０はマイクである。マイク１０から出力された音声信号は、アンプ等で構成される音声制御部１１を介してＡ／Ｄ変換器２３に供給され、Ａ／Ｄ変換器２３においてデジタル信号に変換された後、メモリ制御部１５によってメモリ３２に格納される。一方、記録媒体２００に記録されている音声データは、メモリ３２に読み込まれた後、Ｄ／Ａ変換器１３によりアナログ信号に変換される。音声制御部１１は、このアナログ信号によりスピーカ３９を駆動し、音声出力する。
【００２２】
不揮発性メモリ５６は電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２３】
５０はシステム制御部であり、デジタルカメラ１００全体を制御する。システム制御部５０は、上述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。
【００２４】
第１シャッタースイッチ６２は、デジタルカメラ１００に設けられたシャッターボタン６１の操作途中（半押し）でＯＮとなり第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２５】
第２シャッタースイッチ６４は、シャッターボタン６１の操作完了（全押し）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２６】
８０は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２７】
３０は電源部であり、アルカリ電池やリチウム電池等の一次電池やＮｉＣｄ電池やＮｉＭＨ電池、Ｌｉ電池等の二次電池、ＡＣアダプター等からなる。３３及び３４はコネクタであり、電源部３０と電源制御部８０とを接続する。
【００２８】
４０はＲＴＣ（Ｒｅａｌ  Ｔｉｍｅ  Ｃｌｏｃｋ）であり、日付及び時刻を計時する。ＲＴＣ４０は、電源制御部８０とは別に内部に電源部を保持しており、電源部３０が落ちた状態であっても、計時状態を続ける。システム制御部５０は起動時にＲＴＣ４０より取得した日時を用いてシステムタイマを設定し、タイマ制御を実行する。
【００２９】
４２はタッチパネル制御部であり、表示部２８を指などでタッチされたときはタッチされた位置（座標）を検出するとともに、表示部２８から指が離されたイベントを検出する。
【００３０】
１８はメモリカードやハードディスク等の記録媒体２００とのインターフェースである。３５は該記録媒体２００とインターフェース１８との接続のためのコネクタである。９８は記録媒体着脱検知部であり、コネクタ３５に記録媒体２００が装着されているか否かを検知する。
【００３１】
２００はメモリカードやハードディスク等の記録媒体である。記録媒体２００は、半導体メモリや磁気ディスク等から構成される記録部１９、デジタルカメラ１００とのインターフェース３７、及び、記録媒体２００とデジタルカメラ１００とを接続するためのコネクタ３６を備えている。
【００３２】
通信部１１０は、アンテナ１１２通して、音声通話やメールなどのための電波を送受信する回路である。また通信部１１０を解して、デジタルカメラとプリンタやスマートフォンなどの他機器を接続することも可能である。
【００３３】
［デジタルカメラの全体動作について］
図３は本実施形態のデジタルカメラ１００の全体的な動作を説明するフローチャートである。
【００３４】
電源スイッチ７２が操作され電源がオンに切り替わると、ステップＳ３０１においてシステム制御部５０は表示部２８に初期画面を表示する。このＳ３０１初期画面表示処理で表示する画面のの一例を図４に示す。図４の４０１は電話アイコン、４０２はウエブアイコン、４０３はメールアイコン、４０４はカメラアイコンである。デジタルカメラ１００の使用者は、４０１〜４０４のアイコンを指などでタッチすることにより、所望の動作を行うことができる。たとえば４０１電話アイコンをタッチすると電話をかけることが可能である。また４０２のウエブアイコンをタッチするとブラウザを起動し、メールアイコンをタッチするとメール画面を表示し、カメラアイコンをタッチすると表示部２８にスルー画像を表示する。
【００３５】
システム制御部５０は、Ｓ３０１で初期画面を表示するとＳ３０２に進み、デジタルカメラ１００の使用者が操作したかどうかを判定する。このとき操作が行われていなかった場合は何もしない。一方、何かのボタンが押された、あるいは表示部２８を指でタッチしたなどの操作が行われたときはＳ３０３に進む。
【００３６】
Ｓ３０３でシステム制御部５０は、シャッターボタン６１が押下されたかどうかを判定し、押下されたと判定したときは撮影処理（Ｓ３０４）を行う。このＳ３０４撮影処理は、たとえばメール画面表示中など、カメラを起動していないときでも行われる。なおＳ３０４の撮影処理については、図５，６を用いて後述する。一方、Ｓ３０４でシャッターボタンが押されていないと判定したときはＳ３０５に進み、システムメモリ５２に保存している画面ロック中フラグのオン／オフを調べる。Ｓ３０５で画面ロックフラグがオンであったなら、システム制御部５０は画面ロック解除処理（Ｓ３０６）を行う。
【００３７】
このＳ３０６画面ロック解除処理では、システム制御部５０は、デジタルカメラ１００の使用者が電源ボタン７２が押下したかどうかを判定する。もし電源ボタン７２を押下したなら、表示部２８の表示をオンにして、図７に示す画面を表示する。
【００３８】
図７は画面ロック解除画面の一例である。図７の７０１は画面ロックアイコンで、画面がロック中であることを表示するものである。７０２は０〜９までの数字アイコンで、あらかじめデジタルカメラ１００に設定してあるパスコードを入力しない限り、図７の画面を表示し続ける。たとえばパスコードが１、２、３、４であったなら、デジタルカメラ１００の使用者は、７０２の丸付き数字１、２、３、４のアイコンを順番にタッチすることによって画面ロックを解除することができる。このように所定のパスコードを入力しない限り、他の画面を表示しないようにすることによって、他人にデジタルカメラ１００を操作されることを防止することができる。この図７で、デジタルカメラ１００の使用者が所定のパスコードを入力したときは、システム制御部５０は、ステムメモリ５２に保存している画面ロック中フラグをオフにする。
【００３９】
システム制御部５０は、図３のＳ３０５で画面ロック中でなかったときはＳ３０７に進む。Ｓ３０７では、画面ロックボタン、つまり電源ボタンが押されたかどうかを判定し、電源ボタンが押されたと判定したときは、画面ロック処理（Ｓ３０８）を行う。Ｓ３０８の画面ロック処理では、システム制御部５０は表示部２８の電源をオフにするとともに、システムメモリ５２に画面ロックフラグを設定する。
【００４０】
システム制御部５０は、Ｓ３０７で画面ロックボタンが押されていないと判定したときはＳ３０９に進み、操作に応じた処理を行う。
【００４１】
［撮影処理（Ｓ３０４）について］
図５は本実施形態のデジタルカメラ１００の撮影処理を説明するフローチャートである。
【００４２】
システム制御部５０は、デジタルカメラ１００の使用者がシャッターボタン６１が押下すると撮影処理を行い（Ｓ５０１）、つぎにＳ５０２でシステムメモリ５２に保存している画面ロック中フラグの値を判別し、画面ロック中かどうかを調べる。Ｓ５０２で画面ロック中でなければ、Ｓ５０３に進み、画面ロック中タグをＯＦＦで撮影した画像を記録媒体２００に保存する。一方、Ｓ５０２で画面ロック中と判定したときは、Ｓ５０４に進み、画面ロック中タグをＯＮで撮影した画像を記録媒体２００に保存する。このＳ３０５で記録する画像ファイルの構造については、図６を用いて後述する。
【００４３】
図６は本実施形態における画像ファイル構造の一例である。本実施例では、画像のフォーマットがＥｘｉｆ−ＪＰＥＧであるものとする。Ｅｘｉｆとは  Ｅｘｃｈａｎｇｅｂｌｅ  ｉｍａｇｅ  ｆｉｌｅ  ｆｏｒｍａｔの略称であり写真用のメタデータを含む画像ファイルフォーマットである。ＥｘｉｆデータはＪＰＥＧ画像データ中のヘッダ部分に含まれる「ＡＰＰ１」６０１内の「Ｅｘｉｆ  ＩＦＤ（Ｅｘｉｆデータ）」６０２として格納されており、カメラでの撮影データが保存される。この６０２「Ｅｘｉｆ  ＩＦＤ」の中に、カメラの製造メーカが固有のデータを格納できる領域として「ＭａｋｅｒＮｏｔｅ」６０３が存在する。本実施形態では、この「ＭａｋｅｒＮｏｔｅ」６０３に格納されている「画面ロック中タグ」６０４を利用する。
【００４４】
この６０４「画面ロック中タグ」は、１は画面ロック中に撮影したことを表し、０は画面ロック中の撮影ではないことを表すようにしてもよい。もちろん０，１以外の数値でも、あるいはＯＮ，ＯＦＦなどの文字列でも、どのような値でもかまわない。
【００４５】
このように画面ロック中に撮影したかどうかをメタデータに含めることによって、画面ロック中に撮影した画像は別の処理を行うことが可能となる。たとえば画像ロック中に撮影した画像は、印刷しない／クラウドに送信しない／スライドショーを行わないなどの別処理を行うことが可能となる。とくにロック中は急いで撮影していることが多く、露出やピントが適正でない可能性が高い。そうした適性でない可能性の高い画像は印刷しないようにすることが可能となる。
【００４６】
一方、ロック中に撮影した画像は、デジタルカメラ１００の使用者が急いででも撮影したかった画像であり、面白い画像が撮れている可能性もある。そのため、逆にロック中に撮影した画像のみをクラウドに送信するという使い方も可能となる。
【００４７】
［第２の実施形態について］
図８は第２の実施形態におけるデジタルカメラ１００の撮影処理を説明するフローチャートである。
【００４８】
システム制御部５０は、デジタルカメラ１００の使用者がシャッターボタン６１が押下すると撮影処理を行い（Ｓ８０１）、つぎにＳ８０２でシステムメモリ５２に保存している画面ロック中フラグの値を判別し、画面ロック中かどうかを調べる。Ｓ８０２で画面ロック中でなければ、Ｓ８０３に進み、「ＩＭＧ＿」で始まるファイル名で撮影した画像を記録媒体２００に保存する。一方、Ｓ５０２で画面ロック中と判定したときは、「ＬＯＣ＿」で始まるファイル名で撮影した画像を記録媒体２００に保存する。
【００４９】
図９は図８の第２の実施形態において、記録媒体２００に保存されるディレクトリ構成の一例を示したものである。ルートディレクトリにＤＣＩＭディレクトリ９０１が記録され、ＤＣＩＭディレクトリ９０１には８文字から生成されるサブディレクトリが生成される。サブディレクトリが保持するサブディレクトリ名は、先頭３文字が数字で構成される。先頭３文字の数字は１００から始まり、ディレクトリを生成する毎に１ずつインクリメントされる。図９では、１００ＧＡＺＯＵ（参照符号９０２）、１０１ＧＡＺＯＵ（参照符号９０３）が示されている。サブディレクトリ９０２、９０３の配下には本実施形態のデジタルカメラ１００が作成するファイルが作成される。ここで生成されるファイル名は、８文字のファイル名とファイルの種類を示す３文字の拡張子から構成さる。ファイル名のうち初めの４文字は、図８のＳ８０３でＩＭＧ＿に、Ｓ８０４でＬＯＣ＿に決定される。一方、ファイル名のうち後ろ４文字は０００１から始まる数字で構成され、撮影毎に１ずつインクリメントされたファイル名が付与される。図９の例では、９０６、９０８、９１１が画面ロック中に撮影された画像であり、残りの画像は画面がロックされていない状態で撮影された画像であることを示している。
【００５０】
このように画面ロックの有無でファイル名を別の名前にすることによって、画面ロック中に撮影した画像に対して別の処理を施すことが可能となる。
【００５１】
［第３の実施形態について］
図１０は第３の実施形態において、記録媒体２００に保存されるディレクトリ構成の一例を示したものである。画面ロック中でないときに撮影した画像は、１００ＧＡＺＯＵ（参照符号１００２）ディレクトリの下に保存され、画面ロック中に撮影した画像は、１０１＿＿ＬＯＣ（参照符号１００３）ディレクトリの下に保存される。つまり画面ロック中に撮影した画像と、画面ロックしていないときに撮影した画像とは、画像を格納するディレクトリを分けて保存する。
【００５２】
このように画面ロックの有無でディレクトリを分けることによって、画面ロック中に撮影した画像に対して別の処理を施すことが可能となる。
【００５３】
［第４の実施形態について］
第１〜第３の実施形態で説明したように、画面ロック中に撮影した画像とそうでない画像とを判別することが可能になったなら、たとえば画面ロックしていない状態で撮影した画像のみを印刷指定することが可能となる。あるいは画面ロック中に撮影した画像のみをスライドショー表示することが可能となる。あるいは画面ロックしていない状態で撮影した画像のみをメール送信やクラウドに上げるなどの処理が可能となる。つまり画面ロック中に撮影した画像とそうでないがぞうとで別の処理を施すことが可能となる。
【００５４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００５５】
２８  表示部、７２  電源スイッチ、２００  記録媒体
【図１】
2016208202.tif 000003
【図３】
2016208202.tif 000004
【図５】
2016208202.tif 000005
【図６】
2016208202.tif 000006
【図８】
2016208202.tif 000007
【図９】
2016208202.tif 000008
【図１０】
2016208202.tif 000009
【図２】
2016208202.tif 000010
【図４】
2016208202.tif 000011
【図７】
2016208202.tif 000012